(57)【特許請求の範囲】
【請求項１】
仰向けに横たわった人といった関連する横臥者を起き上がらせる装置（１３）であって、使用時において前記装置は、
−座部（１）と、
−前記座部（１）に接続され、前記座部（１）から第１方向に延びる部分を有する第１脚部（４）と、
−前記座部（１）に回動可能に接続され、前記座部（１）から第２方向に延びる部分を有する第２脚部（５）と、
−前記座部（１）に接続され、前記座部（１）から第３方向に延びる部分を有する背もたれ（２）と、
前記第１脚部（４）、前記第２脚部（５）、前記背もたれ（２）のそれぞれに接続され、ハンドル（１７）を有し、前記ハンドル（１７）と反対側の面が平坦であり、前記面と直交している面が前記座部（１）であるトラバース（６）と、
を備え、
前記第２脚部（５）は、回転軸を中心に回動するよう設けられ、
前記装置は、前記第２脚部（５）の前記回転軸を中心とした回動により、第１構成から第２構成へと移行するように設けられており、
前記回動の間に前記第１方向と前記第２方向との間の角度（ａ１２）は減少し、
前記装置は、
−前記関連する横臥者の臀部が、前記関連する横臥者が横たわっている支持面と途切れなく接触している間、前記関連する横臥者の下方に少なくとも部分的にあるなどといった形で、前記関連する横臥者と、前記関連する横臥者が横たわっている支持面との間に、少なくとも部分的に前記第１構成の装置を置いた後に、
−前記第２脚部（５）の回動によって、前記装置を前記第１構成から前記第２構成に移行させて、前記関連する横臥者を起き上がらせることができるように構成されており、
前記装置の１つまたは複数のパーツは、前記座部（１）の別のパーツから、可逆的に分離および再接続するように構成されている装置。
【請求項２】
前記関連する横臥者の臀部が前記支持面と接触している間、前記装置は、
−前記背もたれ（２）が、前記関連する横臥者の背中の下方に位置することと、
−前記座部（１）が、前記関連する横臥者の脚の下方に置かれることと、
を可能にするように構成されている、
請求項１に記載の装置。
【請求項３】
前記装置は、
−前記背もたれ（２）が、前記関連する横臥者の背中の下方に位置するとき、
−前記座部（１）が、前記関連する横臥者の脚の下方に位置されるときに、
前記関連する横臥者の臀部が前記支持面と接触できるように、前記座部（１）と前記背もたれ（２）との間に、材料がない部位があるように構成されている、
請求項１又は２に記載の装置。
【請求項４】
前記第２方向と前記第３方向との間の角度（ａ２３）は、前述の回動中に増加する、
関連する横臥者を起き上がらせる、
請求項１から３のいずれか１項に記載の装置。
【請求項５】
−前記第１脚部（４）における一点と、
−前記第２脚部（５）における前記回転軸から最も離れた一点である、第２脚部（５）の遠位点（Ｐ）と、
の間の最大距離ｄ１２は、少なくとも第１位置において、
−前記回転軸と、
−前記第２脚部（５）における遠位点（Ｐ）と、
の間の距離ｄ２よりも、少なくとも１０％大きい、
請求項１から４のいずれか１項に記載の横臥者を起き上がらせる装置。
【請求項６】
前記回転軸は、前記第２脚部（５）の一端にあり、
−前記回転軸と、
−前記回転軸を挟んで反対側の第２脚部において、前記第２脚部（５）における遠位点（Ｐ）から最も遠い点と、
の間の距離ｄ２’は、距離ｄ２と比べて、７５％よりも小さい、
請求項１から５のいずれか１項に記載の横臥者を起き上がらせる装置。
【請求項７】
前述の分離および再接続は、工具を使用することなく、関連する補助者によって実行される、
請求項１から６のいずれか１項に記載の横臥者を起き上がらせる装置。
【請求項８】
前述の分離および再接続は、
ｉ）前記装置の第１部分の雄パーツと、
ｉｉ）前記装置の第２部分の雌パーツと、
を備える、ジョイントによって容易になる、
請求項１から７のいずれか１項に記載の横臥者を起き上がらせる装置。
【請求項９】
前記装置の異なるパーツは、機械的ロック部材である
−ピン、
−クリックロック、
−ディテントボール、
−手で操作できるネジ、
のうちの１つ、または複数、または全てによって一緒に結合される、
請求項１から８のいずれか１項に記載の横臥者を起き上がらせる装置。
【請求項１０】
別個のパーツに分解することができる装置であって、前記第１脚部（４）、前記第２脚部（５）、前記背もたれ（２）、及び前記トラバース（６）のそれぞれは、１２ｋｇ未満の重さである、
請求項１から９のいずれか１項に記載の横臥者を起き上がらせる装置。
【請求項１１】
モータによって駆動される、回動のための駆動ユニットをさらに備える、
請求項１から１０のいずれかに記載の横臥者を起き上がらせる装置。
【請求項１２】
少なくとも１０回の連続起き上がり運転を可能にする、前記駆動ユニットに動作可能に接続されたエネルギー蓄積ユニットをさらに備える、
請求項１１に記載の横臥者を起き上がらせる装置。
【請求項１３】
前記装置の構造強度は、体重７５ｋｇ以上の人を起き上がらせることを可能にする、
請求項１から１２のいずれか１項に記載の横臥者を起き上がらせる装置。
【請求項１４】
関連する補助者が、前記装置に物理的に接触しなくても、前記装置を制御できるようにする遠隔制御装置をさらに備える、
請求項１から１３のいずれか１項に記載の横臥者を起き上がらせる装置。
【請求項１５】
前記第２脚部（５）が前記回転軸を中心に回動することで、
−前記第１脚部（４）の遠位部分が、前記座部の第１次側で、前記支持面と係合する工程と、
−前記第２脚部（５）の遠位部分が、前記座部の前記第１次側とは反対側である前記座部の第２次側で、前記支持面と係合する工程と、
を経ながら前記装置が前記第１構成から前記第２構成に移行するように、前記装置が構成され、
前記第１構成から前記第２構成への移行中に、前述の回動の最中の第１方向と第２方向との間の角度を減少させることによって、
−前記座部と前記支持面との間の距離が増加し、
−第３方向と垂直方向との間の角度が減少する、
請求項１から１４のいずれか１項に記載の横臥者を起き上がらせる装置。
【請求項１６】
前記装置の前記第１構成において、前記第１方向と前記第３方向との間の角度が、９０度より大きい、
請求項１から１５のいずれか１項に記載の横臥者を起き上がらせる装置。
【請求項１７】
前記装置の前記第１構成では、前記第２方向と前記第３方向との間の角度が、９０度より小さい、
請求項１から１６のいずれか１項に記載の横臥者を起き上がらせる装置。
【請求項１８】
前記第１方向と前記第３方向との間の角度が一定である、
請求項１から１７のいずれか１項に記載の横臥者を起き上がらせる装置。
【請求項１９】
前記トラバースは、前記回動を駆動する駆動ユニットと、前記駆動ユニットに動作可能に接続されたエネルギー蓄積ユニットとを備える筐体を含む、
請求項１から１８のいずれか１項に記載の横臥者を起き上がらせる装置。
【請求項２０】
−前記座部（１）は、前記トラバース（６）と一体化しており、
−前記第１脚部（４）は、雄型および雌型の接続部を介して前記トラバース（６）に接続され、
○前記雄型および雌型の接続部の軸は、前記回転軸と直交しており、
○前記雄型および雌型の接続部は、ディテントボールを有しており、
−前記背もたれ（２）は、前記雄型および雌型の接続部を介して前記トラバース（６）に接続され、
○前記雄型および雌型の接続部の軸は、前記回転軸と直交しており、
○前記雄型および雌型の接続部は、ディテントボールを有している、
請求項１９に記載の横臥者を起き上がらせる装置。
【請求項２１】
前記背もたれ（２）は、前記回転軸に平行な方向において、互いに離れた異なる位置で前記装置に接続される２つの別個のパーツ（８、９）を含む、
請求項１から２０のいずれか１項に記載の横臥者を起き上がらせる装置。
【請求項２２】
横臥者を起き上がらせる装置を用いて関連する横臥者を起き上がらせる方法であって、関連する横臥者は、最初に関連する支持面に横たわっているものであって、前述の人物は、最初に仰向けに横たわっているものであって、前述の方法は、
−前記関連する横臥者の臀部が、前記関連する横臥者が横たわっている支持面と接触している間、座部（１）を、前記関連する横臥者の脚の下方に置くことと、
−前記座部（１）を前記関連する横臥者の脚の下方に置いた後に、前記関連する横臥者の臀部が、前記関連する横臥者が横たわっている支持面と接触している間、背もたれ（２）を、前記関連する横臥者の背中と前記関連する支持面との間に置くことと、
−前記背もたれ（２）を前記関連する横臥者の背中と前記関連する支持面との間に置いた後に、前記背もたれが前記座部から第３方向に延びる部分を有するよう、前記背もたれ（２）を前記座部（１）に接続することと、
−前記背もたれ（２）を前記座部（１）に接続した後に、第２脚部（５）が回転軸を中心に前記座部（１）に回動可能に接続され、前記第２脚部（５）が前記座部から第２方向に延びる部分を有するように、第２脚部（５）を前記座部（１）に接続することと、
−前記第２脚部（５）を前記座部（１）に接続した後に、第１脚部（４）が、前記座部から第１方向に延びる部分を有するよう、前記第１脚部（４）を前記座部（１）に接続することと、
−前記第１脚部（４）を前記座部（１）に接続した後に、前記第１方向と前記第２方向との間の角度が、前述の回動の間に減少していく、第２脚部（５）の第１角度位置から第２脚部（５）の第２角度位置への第２脚部（５）の回動によって、前記関連する横臥者を起き上がらせることと、
を備え、
前記装置は、前記第１脚部（４）、前記第２脚部（５）、前記背もたれ（２）のそれぞれに接続され、ハンドル（１７）を有し、前記ハンドル（１７）と反対側の面が平坦であり、前記面と直交している面が前記座部（１）であるトラバース（６）を備える、
関連する横臥者を起き上がらせる方法。
【請求項２３】
○前記第１脚部（４）における一点と、
○前記回転軸から最も離れた前記第２脚部における一点である、前記第２脚部（５）の遠位点（Ｐ）と、
の間の最大距離ｄ１２は、少なくとも第１角度位置において、
○前記回転軸と、
○前記第２脚部（５）における前記遠位点（Ｐ）と、
の間の距離ｄ２よりも、少なくとも１０％大きい、
請求項２２に記載の関連する横臥者を起き上がらせる方法。
【請求項２４】
前記背もたれは、前記座部から前記第３方向に延びる部分を有し、前述の回動の間に前記第２方向と前記第３方向との間の角度が増大する、
請求項２２から２３のいずれか１項に記載の関連する横臥者を起き上がらせる方法。
【請求項２５】
前記方法は、
−前記第１脚部（４）の遠位部分が、前記座部の第１次側で、前記支持面と係合する工程と、
−前記第２脚部（５）の遠位部分が、前記座部（１）の第１次側とは反対側である前記座部（１）の第２次側で、前記支持面と係合する工程と、
を経ながら前記第２脚部が第１角度位置から第２角度位置に移行し、かつ
前記第１角度位置から前記第２角度位置への移行中に、前述の回動中の第１方向と第２方向との間の角度を減少させることにより、
−前記座部（１）および前記支持面の間の距離が増加し、
−前記第３方向と垂直方向との間の角度を減少させるために、
前記第２脚部（５）を回動させることをさらに備える、
請求項２２から２４のいずれか１項に記載の関連する横臥者を起き上がらせる方法。
【請求項２６】
前記関連する横臥者が、前記第２脚部（５）の前述の回動によって起き上げられ、
前記関連する横臥者の臀部が、前記関連する横臥者が前記第２脚部（５）の回動によって起き上げられるまで前記支持面に接触したままであり、
関連する横臥者が前記第２脚部（５）の回動により起き上げられる前に、前記関連する横臥者の臀部を垂直方向に移動させない、
請求項２２から２５のいずれか１項に記載の関連する横臥者を起き上がらせる方法。
【請求項２７】
−前記関連する横臥者の脚の下方に前記座部（１）を置いた後に、
−前記背もたれ（２）を前記座部（１）に接続すること、
−前記第２脚部（５）を前記座部（１）に接続すること、
−前記第１脚部（４）を前記座部（１）に接続すること、
のうちの１つまたは複数またはすべてを行う、
請求項２２から２６のいずれか１項に記載の関連する横臥者を起き上がらせる方法。
【請求項２８】
前記方法は、前記関連する横臥者を起き上がらせたのち、
−初期の角度位置となるよう前記第２脚部（５）を回動させること、
をさらに備え、
前記方法は、
−前記背もたれ（２）を前記座部（１）から分離すること、
−前記第２脚部（５）を前記座部（１）から分離すること、
−前記第１脚部（４）を前記座部（１）から分離すること、
のうちの一以上またはすべてを、さらに備える、
請求項２２から２７のいずれか１項に記載の関連する横臥者を起き上がらせる方法。
【発明の詳細な説明】
【技術分野】
【０００１】
本発明は、関連する横臥者を起き上がらせる装置、および前述の装置に対応する方法および使用に関する。
【背景技術】
【０００２】
本発明は、床に倒れた高齢者または移動性の低下した人を起き上がらせることに関連する困難に基づくものである。特に、高齢者、または移動性が低下して自分自身の足で起き上がるための十分な筋力を持たない人、または補助なしに起き上がろうとした場合に損害を引き起こすケースに関係するものである。ここでは、健康な人々がよくわからない理由で倒れているケース、または家具や他の何かにつまずいたケースに関係するものであり、心臓発作で倒れた人々については、別の問題になる。身体の筋力や快活性が不十分であるために「自力で動けない人の重さ」がかかってしまい、看護スタッフであっても、その人物を起き上がらせることは困難になる。
【０００３】
例えば、転倒により支持面上に横たわってしまった人の中には、補助なしに起き上がることができない、および／または起き上がるべきでない人がいる。これは、高齢者または移動性が低下して自分自身の足で起き上がるための十分な筋力を持たない人もしくは人々、または補助なしに起き上がろうとした場合に損害を引き起こすケースであるかもしれない。看護スタッフ等の補助者が、そのような人々を起き上がらせるのは、困難または物理的に骨の折れることである。
【０００４】
体力が衰えた人々を取り扱うリフトなどの装置が知られている。これには、車輪にて走るクレーンのようなリフト、またはリフトが天井または特別なフレームに取り付けられたレールを走る天井リフトが含まれる。しかし、これらのリフトは、床に倒れた人を起き上がらせることについては、特に実用的なものではない。
【発明の概要】
【０００５】
本発明の目的は、関連する横臥者を起き上がらせることができる装置を提供することであって、装置は重いパーツを持ち上げずとも移動させることができ、装置は関連する横臥者や関連する横臥者の重い部分を持ち上げずとも関連する横臥者を起き上がらせるために操作して使用することができ、装置は比較的コンパクト、かつ／または比較的簡単なものである。
【０００６】
本発明のさらなる目的は、従来技術の代替物を提供することである。
【０００７】
したがって、本発明の第１の態様では、仰向けに横たわった人などといった関連する横臥者を起き上がらせる装置を提供することによって、上記の目的および他のいくつかの目的が得られることが意図されており、例えば使用時において前記装置は、
−座部と、
−前記座部に接続され、前記座部から第１方向に延びる部分を有する第１脚部と、
−前記座部に回動可能に接続され、前記座部から第２方向に延びる部分を有する第２脚部と、
−前記座部に接続され、前記座部から第３方向に延びる部分を有する背もたれと、
を備え、
前記第２脚部は、回転軸を中心に回動するよう設けられ、
前記装置は、前記第２脚部の前記回転軸を中心とした回動により、第１構成から第２構成へと移行するように設けられており、前記回動の間に前記第１方向と前記第２方向との間の角度は減少し、
前記装置は、
−前記関連する横臥者の臀部が、前記関連する横臥者が横たわっている支持面と途切れなく接触している間、前記関連する横臥者の下方に少なくとも部分的にあるなどといった形で、前記関連する横臥者と、その関連する人物が横たわっている支持面との間に、少なくとも部分的に前記第１構成の装置を置いた後に、
−前記第２脚部の回動によって、前記装置を前記第１構成から前記第２構成に移行させて、前記関連する横臥者を起き上がらせることができるように構成されている装置。
【０００８】
特に、本発明の利点は、第２脚部の回動によって人を起き上がらせるなど、人を起き上がらせることを可能にする装置を提供することであると理解されてもよい。したがって、本装置は、補助者が、関連する横臥者の臀部を移動させずとも、関連する横臥者の背中や太ももの下方などといった関連する横臥者の下方（当技術分野で一般的であるように、下方とは重力に照らして理解される）に、少なくとも部分的に装置を置き、次いで、第２脚部の回動によって関連する横臥者を起き上がらせることを容易にすることができる。回動は、例えば歯車ユニットを介した手動で、または電動式で行うことができる。したがって、補助者は、関連する横臥者の臀部を垂直に移動させるための力を加える必要はなく、関連する横臥者の体重に対応する力を加える必要もない。起き上がりは、第２脚部の回動のみによって任意に実施することができる。
【０００９】
したがって、前述の装置を置くことについては、関連する横臥者の臀部のいかなる移動も行わないなど、関連する横臥者の臀部を垂直方向に実質的に移動（どのような変位も）させずに行うことができるものと理解されてもよい。これは、一般的に、関連する横臥者の比較的重い部分である骨盤領域を、補助者が持ち上げる必要性をなくすことができるため有利である。
【００１０】
言い換えれば、本装置は、関連する横臥者を起き上がらせるプロセスを容易にするものであって、このプロセスは、関連する横臥者の臀部を支持面から持ち上げることなく、その人物の下方に少なくとも部分的に装置を置き、続いて、歯車式または電動式で比較的容易に行うことができる第２脚部の回動によって、関連する横臥者を起き上がらせることを含むものである。
【００１１】
本発明の利点は、関連する人物を、関連する人物を起き上がらせる装置の上に移動させずとも済むよう、装置を（関連する人物の臀部を移動させずに）関連する人物の下方の位置に移動させることを可能にすることであると考えられてもよい。一の実施の形態において、これは、人物の周囲で装置を組み立てることで実現されてもよい。別の実施の形態において、これは、関連する人物の下方に装置の少なくとも一部を置いた後に、装置の異なるパーツを再構成することによって実現されてもよい。
【００１２】
「関連する横臥者を起き上がらせる」とは、関連する横臥者を横たわった形態から座った形態に起き上げることと理解されてもよく、例えば、臀部が垂直に上方へ変位され、背中と垂直軸との間の角度が減少させるものである。
【００１３】
関連する横臥者の「臀部」とは、当該技術分野において一般的であると理解されるものであって、骨盤領域の後部であると指定されてもよい。
【００１４】
関連する横臥者は、例えば四肢に欠損のない、体重７５ｋｇ、身長１７５ｃｍの平均的な成人などといった平均的な人間であってもよい。
【００１５】
一般的に「支持面」とは、関連する横臥者が、最初に横たわった位置（すなわち、起き上げられる前に）で横たわっている面であると理解されてもよい。支持面は、例えば屋内では床としてもよく、屋外では地面としてもよい。
【００１６】
「関連する横臥者」を指すとき、この人物は、最初−例えば、起き上がり始める前−は横たわっており、その後、起きあげられるものと理解される。この人物が、起き上がりの最中に、または起き上がった後に横たわっているとは限らないが、「関連する横臥者」と言及されこともあると理解される。
【００１７】
第１脚部、第２脚部、および背もたれの「方向」を指すとき、それは一般に、回転軸に直交する平面の方向であると理解される。
【００１８】
各「第１脚部」および「第２脚部」は、例えば２つなど、１以上の第１サブ脚部および第２サブ脚部それぞれを含んでもよい。例えば、関連する横臥者の左右両側にサブ脚部を備えられるように、装置の各側の第１および／または第２のサブ脚部は、回転軸に沿って移動される。
【００１９】
例えば、２つの方向の間、または２つの平面の間、または平面と方向との間（例えばベクトル）などといった、２つの実体の間の「角度」を指すとき、前述の角度は、前述の実体の間の最小の角度であると理解されるべきである。
【００２０】
一の実施の形態において、装置は、前記関連する横臥者の臀部が前記支持面と接触している間、
−前記背もたれが、前記関連する横臥者の背中の下方に位置することと、
−前記座部が、前記関連する横臥者の、例えば太ももなどの脚の下方に位置することと、
を可能にするように設けられる。背もたれと座部の両方を関連する横臥者の下方に置くことで考えられる利点は、関連する横臥者を、関連する横臥者の重心の両側で支えることを可能にすることである。別の利点は、関連する横臥者を持ち上げるだけでなく、その持ち上げの最中に、横たわった（真っすぐな）形態から座った形態へと形態を変えることを可能にすることである。
【００２１】
一の実施の形態において、前記装置は、
−背もたれが関連する横臥者の背中の下方に位置するとき、
−座部が、関連する横臥者の、例えば太ももなどの脚の下方に位置するときに、
例えば、関連する横臥者の臀部が支持面と接触するように、座部と背もたれとの間が貫通孔のように材料がない形に設けられる。貫通孔またはくぼみ（第１構成にある装置を、装置の上方から観察したときのくぼみなど）のような、材料がない部分を有することで考えられる利点は、第１構成の装置を、関連する横臥者の臀部と関連する横臥者の下方の位置との間に置く必要性をなくすことであってもよい。より具体的には、材料がない部分を有することは、例えば股関節の間の一点などの骨盤領域から始まる仮想線を、装置のいずれの材料とも交差や接触をさせずに垂直線に沿って支持面まで引きながら、装置を第１構成にして関連する横臥者の下方に位置させること−第２脚部を回動させて関連する横臥者を起き上がらせるための準備ができた状態−を可能にするものである。
【００２２】
一の実施の形態において、第２方向と第３方向との間の角度は、前述の回動中に増加する。これの利点は、関連する横臥者の背中を立たせることを可能にすることであってもよい。
【００２３】
一の実施の形態において、
−前記第１脚部における一点と、
−前記第２脚部における前記回転軸から最も離れた一点である、前記第２脚部の遠位点（Ｐ）と、
の間の最大距離ｄ１２は、少なくとも第１位置において、
−前記回転軸と、
−前記第２脚部における遠位点（Ｐ）と、
の間の距離ｄ２よりも、少なくとも１０％、少なくとも２５％、少なくとも５０％、少なくとも７５％、少なくとも１００％、１００％より大きい値のように大きい、先の請求項のいずれか１つに記載の横臥者を起き上がらせる装置。距離ｄ１２を距離ｄ２より大きくすることで考えられる利点は、支持面との複数の交点間の距離を、第２脚部の長さと比べて比較的大きくすることを可能にすることである。このように、相対的にコンパクトな第２脚部は、比較的軽量および／またはコンパクトな装置をもたらすことを促すものであり、なおかつ複数の支持点間の距離が比較的大きいため、比較的安定した装置を支持するものである。例えば、装置は、第１構成から第２構成への移行中に必ずしも互いに交差せずともよいように、第１および第２脚部が互いに交差する必要性をなくして設けられてもよい。例えば、装置は、第２脚部が第２ジョイントを介して座部に取り付けられ、第１脚部が第１ジョイントを介して座部に取り付けられるように設けることができ、
−第１ジョイントから第２ジョイントへ向かう方向は、第１方向に対して反対方向であり、
−第２ジョイントから第１ジョイントへ向かう方向は、第２方向に対して反対方向である。
反対方向とは、一般的に「９０度以上」と理解される。
【００２４】
一の実施の形態において、前記第２脚部は、前記第２脚部の上端のような、前記第２脚部の一端にある滑車ジョイントを介して前記座部に結合され、前記回転軸は前記滑車ジョイントと一致する。したがって、回転軸は、剛性の第２脚部を座部に連結する滑車ジョイントの軸であると理解されてもよい。
【００２５】
一の実施の形態において、前記回転軸は、前記座部（１）に最も近い端部のような、前記第２脚部（５）の一端にあり、
−前記回転軸と、
−前記回転軸を挟んで反対側の第１脚部において、前記第２脚部（５）における遠位点（Ｐ）から最も遠い点と、
の間の距離ｄ２’は、距離ｄ２と比べて、７５％よりも、５０％よりも、２５％よりも、１０％よりも小さい、これの利点は、第２脚部の長さ（例えば、ｄ２＋ｄ２’の合計の長さ）の大部分（例えば、長さｄ２）を回転軸と終点Ｐとの間の部分として使うことができることであって、比較的短い脚部の場合でも、回転軸と脚部の端部の点Ｐとの間に比較的大きな距離を提供する。言い換えれば、回転軸の反対側には、無駄な長さがほとんどなくなる。
【００２６】
一の実施の形態において、前記第１脚部（４）、前記第２脚部（５）、および前記背もたれ部（２）のうちの１つまたは複数またはすべてなどといった前記装置の１つまたは複数のパーツは、前記座部（１）のような装置の別のパーツから、可逆的に分離および再接続するように構成されている。可逆的な組み立てと分解が可能な装置であることで考えられる利点は、装置の異なるパーツを１つずつ取り出すことができるので、装置の全重量を一度に持ち上げることなく、装置を持ち運ぶことができることであってもよい。別の利点は、分解して持ち運ぶ際に、装置をよりコンパクトに調整できることであってもよい。したがって、可逆的な組み立てと分解が可能な構成にすることで、例えば持ち運びの際など、装置をある場所から別の場所へ移動させる際に持ち上げなければならない最大重量を減らすという課題に対する解決策が提供されるものと理解されてもよい。前述の分離および／または再接続は、限定された時間内、例えば１０分以内、５分以内、２分以内、１分以内などの間に、関連する補助者によって実行されてもよい。
【００２７】
さらなる実施の形態においては、前述の分離および再接続は、工具を使用することなく、関連する補助者によって実行されてもよい。このことによって考えられる利点は、装置の組み立てや分解を比較的易しいものにすることを可能にすることである。「工具を使用することなく」とは、分離および再接続を、一般的な人の素手のみなどといった、工具なしの状態で実行され得ることであると理解される。前述の分離および再接続とは、工具を使用せずに、限定された時間内、例えば１５分以内、１２分以内、１０分以内、８分以内、６分以内、５分以内、３分以内、２分以内、１分以内などの間に、関連する補助者によって装置が分離および／または再接続されることであると、さらに理解されてもよい。
【００２８】
さらなる実施の形態においては、前述の（可逆的な）分離および再接続は、
ｉ）前記装置の第１部分の雄パーツと、
ｉｉ）前記装置の第２部分の雌パーツと、
を備える、ジョイントによって容易になるものである。
【００２９】
さらなる実施の形態においては、前記装置の異なるパーツは、可逆的な摩擦嵌めなどの中間嵌めによって一緒に結合されるものである。「中間嵌め」とは、一緒に結合される部品がしっかりと結合され、しかし、一般的な人の手による分解など、工具を使用しない分解ができないほどにしっかりとではない嵌め方であると理解されるものである。
【００３０】
さらなる実施の形態においては、前記装置の異なるパーツは、
−割りピン、またはバネピンなどのピン、
−組立時には一の部分に配置されたバネ仕掛けの係合部材が、他の部分の穴またはへりと係合し、取り外し時にはバネ力を解消する必要があるようなロックなどのクリックロック、
−ディテントボール、
−回り柄ネジまたは蝶ネジなどの手で操作できるネジ、
などのうちの１つ、または複数、または全ての機械的ロック部材によって一緒に結合される。機械的ロック部材のいずれも、パーツを一緒に保持する役割を果たすことができるが、機械的ロック部材のいずれも、一般的な人の手によってなど、工具を使用しないで解消または取り除くことができると理解されてもよい。
【００３１】
一の実施の形態においては、別個のパーツに分解することができる装置が提供され、各別個のパーツは、２０ｋｇ未満、例えば１８ｋｇ未満、１５ｋｇ未満の重さである。一の実施の形態においては、別個のパーツに分解することができる装置が提供され、各別個のパーツは、１２ｋｇ未満、例えば１１ｋｇ未満、１０ｋｇ未満、９ｋｇ未満、７ｋｇ未満の重さである。比較的軽量であることで考えられる利点は、装置を動かすときに持ち上げなければならない重量がより少なくなることである。比較的軽量な別個のパーツは、装置をより小さな部品に分解することができるようにすること、および／または軽量な材料を選択することによって実現することができる。「ｋｇ」は、キログラムであると理解されるものである。
【００３２】
一の実施の形態においては、ＤＣモータやサーボモータのような電気モータによって駆動される駆動ユニットなどといったモータによって駆動される駆動ユニットなどの、回動のための駆動ユニットをさらに備える装置が提供される。駆動ユニットを有することで考えられる利点は、そのような駆動ユニットが、関連する補助者に関連する横臥者の臀部を持ち上げる力に等しいかそれ以上の力を発揮させずとも、関連する横臥者を起き上がらせられるよう、補助できることであってもよい。モータ駆動ユニットを有することで考えられる利点は、関連する補助者が回動中に加えなければならない力を低減またはなくすことができることである。
【００３３】
一の実施の形態においては、前記駆動ユニットに動作可能に接続され、少なくとも１０回、少なくとも２０回、少なくとも３０回、少なくとも４０回、少なくとも５０回、少なくとも６０回、少なくとも７０回、少なくとも８０回、少なくとも９０回、少なくとも１００回の連続起き上がり運転を可能にするバッテリなどといったバッテリなどの、エネルギー蓄積ユニットをさらに備える装置が提示される。そのようなエネルギー蓄積ユニットを有することで考えられる利点は、例えば、コンセントなどの外部電源へのアクセスの必要性をなくせることであってもよい。
【００３４】
一の実施の形態においては、装置は、
−回動を駆動する、電動機である駆動ユニットと、
−駆動ユニットに動作可能に接続されたバッテリと、
を有するトラバースを備える。
【００３５】
一の実施の形態においては、前記装置の構造強度は、体重７５ｋｇ以上、１００ｋｇ以上、１２５ｋｇ以上、１５０ｋｇ以上の人を起き上がらせることを可能にする。したがって、体重２５ｋｇ、５０ｋｇ、または７５ｋｇなどの、体重７５ｋｇの人を少なくとも持ち上げることが可能であると理解されてもよい。
【００３６】
一の実施の形態においては、関連する補助者が、前記装置に物理的に接触しなくても、前記装置を制御できるようにするような遠隔制御装置をさらに備える装置が提示される。「遠隔制御装置」とは、回動を制御するなど、装置と通信することができる任意のユニットであって、ユニットは装置に連結固定されていないものと理解されてもよい。遠隔制御装置は、無線接続を介して、またはスパイラルコードなどのコードを通した非剛性の電気的または光学的な物理的接続を介して、例えば駆動ユニットに動作可能に接続されるなど、装置に通信可能に接続されてもよい。
【００３７】
一の実施の形態においては、前記第２脚部（５）が前記回転軸を中心に回動することで、
−前記第１脚部（４）の遠位部分が、前記座部の第１次側で、横臥者の支持面と係合する工程と、
−前記第２脚部（５）の遠位部分が、前記座部の前記第１次側とは反対側である前記座部の第２次側で、横臥者の支持面と係合する工程と、
を経ながら前記装置が前記第１構成から前記第２構成に移行するように、前記装置が構成され、
前記第１構成から前記第２構成への移行中に、前述の回動の最中の第１方向と第２方向との間の角度を減少させることによって、
−前記座部と支持面との間の距離が増加し、
−第３方向と垂直方向との間の角度が減少する。
「係合する」とは、例えば接触してお互いに力を加えるなどといった、異なる要素が接触することであると理解されてもよい。
【００３８】
座部と支持面との間の距離が増加することの利点は、関連する横臥者の臀部を起き上げることを可能にすることであってもよい。第３方向と垂直方向との間の角度が減少することの利点は、関連する横臥者の背中を立たせることを可能にすることであってもよい。第３方向と垂直方向との間の角度が減少することの利点は、背もたれが、例えば座部に向かって水平などといった、体の部分が水平方向になっている関連する横臥者に通常の力を加えることを可能にすることであって、座部は水平になっている体の部分に、反対方向に向いた通常の力を加えることで関連する人の臀部を支持することができる。
【００３９】
一の実施の形態においては、前記装置の前記第１構成（すなわち、横たわった人を起き上がらせる前）において、前記第１方向と前記第３方向との間の角度が、例えば１２０度より大きい、１５０度より大きい、例えば１８０度など、実質的に１８０度などといった、９０度を超える装置が提供される。第１脚部と背もたれを反対方向に向けるなどして、この角度をとることで考えられる利点は、例えばトラバースといった、比較的コンパクトな同じユニットにそれらの取り付けが可能であることから、コンパクトかつ／または軽量な装置を有することを容易にすることであり、その場合でも、第１脚部と背もたれの長さを合計した分の距離ほど離れた箇所にそれらの端点を有することができることである。さらに、第１構成の装置は、実質的に反対の方向ではあるが、背もたれおよび第１脚部が両方とも実質的に同じ軸に沿って延びているため、比較的平坦に延ばして保持されてもよい。
【００４０】
一の実施の形態においては、前記装置の前記第１構成では、前記第２方向と前記第３方向との間の角度が、例えば６０度より小さい、３０度より小さい、例えば０度などのほぼ約０度といった、９０度未満になる装置が提供される。この角度をとることで考えられる利点は、背もたれおよび第２脚部が両方とも実質的に同じ軸に沿って延びているため、第１構成の装置を比較的平坦にして延ばしておくことができるということであってもよい。
【００４１】
一の実施の形態においては、前記第２方向と前記第３方向との間の角度が、前述の回動中は一定であるといった、実質的に前記第２方向と前記第３方向の間の角度が一定となる装置が提供され、この角度は、例えば少なくとも１３５度、少なくとも１６０度、少なくとも１７５度、例えば１８０などの実質的に１８０度などといった、少なくとも９０度の角度である。この角度を一定にすることで考えられる利点は、背もたれと第１脚部との間の固定された接続を容易にすることであってもよく、これにより比較的簡単でありながらも安定した構造が容易になることである。それは、（他の部分に対して）唯一の可動部分が第２脚部であることを容易にするという利点としても見られてもよい。
【００４２】
一の実施の形態においては、少なくとも背もたれおよび第１脚部の一方は、例えば装置が使用中でなくとも回動可能であって、それにより、背もたれ、第１脚部、および第２脚部の全てについて、第１、第２、および第３方向それぞれを例えば平行などといった、実質的に平行にすることができ、また任意で例えば同一平面内などといった、実質的に同じ平面内に配置することができる。これの利点は、使用中でない場合に、（たとえ部品を取り外さなくても）装置を比較的コンパクトな構成にすることができることであってもよい。
【００４３】
一の実施の形態においては、前記座部、前記第１脚部、前記第２脚部、前記背もたれのそれぞれに接続された貫通トラバースなどといったトラバース（６）をさらに備える装置が提供され、前記トラバースは、前記回動を駆動する（筐体の外側のブラケットに任意に接続されている）駆動ユニットを有する筐体と、前記駆動ユニットに動作可能に接続されたエネルギー蓄積ユニットとを任意で備える筐体を含む。座部は、トラバース上に置かれる、または一体化されてもよい。第１脚部、第２脚部、および背もたれそれぞれは、トラバースに取り付けられ、トラバースから離れた方向に向いていてもよい。貫通トラバースを有することで考えられる利点は、構造的安定性が向上することである。
【００４４】
一の実施の形態においては、装置は、座部が置かれた、または一体化されたトラバースであって、第１脚部、第２脚部、および背もたれのそれぞれがトラバースから離れた方向に向いて取り付けられていてもよいトラバースを備え、トラバースは、筐体と、駆動ユニットと、駆動ユニットに動作可能に接続されたエネルギー蓄積ユニットとを含んでいる。これは、前記トラバースが比較的コンパクトで軽量であり、関連する横臥者の太ももの下方に比較的容易に押し込まれ、続いて第２脚部の回動を介して前述の人物を起き上げる力を提供することができるので有利である。
【００４５】
一の実施の形態においては、
−前記座部は、前記トラバース上に任意に固定して取り付けられるか、前記トラバースと一体化しており、
−前記第１脚部は、前記雄型および雌型の接続部を介した接続などといった形で前記トラバースに接続され、
○雄型および雌型の接続部の軸は、前記回転軸と直交する場合のように、実質的に直交しており、
○前記雄型および雌型の接続部は、任意でディテントボールを有しており、
−前記背もたれは、前記雄型および雌型の接続部を介した接続などといった形で前記トラバースに接続され、
○前記雄型および雌型の接続部の軸は、前記回転軸と直交する場合のように、実質的に直交しており、
○前記雄型および雌型の接続部は、任意でディテントボールを有しており、
および／または、
−前記第２脚部は、前記雄型および雌型の接続部を介した接続などといった形で前記トラバースに接続され、前記雄型および雌型の接続部の軸は、前記トラバースの端部のブラケットに取り付けられ、前記回転軸と平行であるなど、実質的に平行になっており、前記トラバースは、任意で駆動ユニットを備えており、前記ブラケットは、前記駆動ユニットの端部にある、
装置が提供される。
【００４６】
一の実施の形態においては、前記背もたれは、前記回転軸に平行な方向に、互いに離れた異なる位置で前記装置に接続された２つの別個のパーツを含む。これにより考えられる利点は、関連する横臥者の背中の下方に背もたれを置くことを容易にすることであってもよい。例えば、前述の人物が仰向けになっている場合、第１の分離された背もたれ部を、前述の人物の背中の右側の下方に置くことができ、続いて、第２の分離された背もたれ部を、前述の人物の背中の左側の下方に置くことができる。したがって、前述の人物の背中全体を一度に持ち上げる必要がないので、左の力を加えなければならない。
【００４７】
第２の態様によると、本発明は、第１に態様に係る人を起き上がらせる装置の使用に関する。
【００４８】
第３の態様によると、本発明は、関連する横臥者を起き上がらせる方法に関するものであって、関連する横臥者は、最初に関連する支持面に横たわっているものであって、前述の人物は、最初に仰向けに横たわっているものであって、前述の方法は、
−前記関連する横臥者の臀部が、前記関連する横臥者が横たわっている支持面と途切れなく接触している間、座部（１）を、前記関連する横臥者の、太ももの下のような脚の下方に置くことと、
−前記関連する横臥者の臀部が、前記関連する横臥者が横たわっている支持面と途切れなく接触している間、背もたれ（２）を、前記関連する横臥者の背中と前記関連する支持面との間に置くことと、
−前記背もたれが前記座部から第３方向に延びる部分を有するよう、前記背もたれ（２）を前記座部（１）に接続することと、
−前記第２脚部（５）が前記座部（１）に回動可能に接続され、前記第２脚部（５）が前記座部から第２方向に延びる部分を有するように、第２脚部（５）を前記座部（１）に接続することと、
−第１脚部（４）が、前記座部から第１方向に延びる部分を有するよう、前記第１脚部（４）を前記座部（１）に接続することと、
−第１方向と第２方向との間の角度が、前述の回動の間に減少していく、第２脚部（５）の第１角度位置から第２脚部（５）の第２角度位置への第２脚部（５）の回動によって、関連する人物を起き上がらせることと、
を備える。
【００４９】
この方法は、例えば歯車による動作によって、または電動機のような駆動ユニットを介して駆動される第２脚部の回動が行われて初めて、補助者が、関連する横臥者の臀部を持ち上げるのに十分な力を加えることなく関連する横臥者を起き上げることができるよう促すのに有利であると見られてもよい。したがって、この方法は、起き上がらせるためにその人物の臀部または体全体を装置上に置く（持ち上げる）ことを必要とするのではなく、装置の異なるパーツ（座部、第１脚部、第２脚部、背もたれ）を、関連する横臥者の下方に置くことを可能にするものと見られてもよい。
【００５０】
一の実施の形態においては、
○前記第１脚部（４）における一点（例えば最も離れている点などの、いずれかの点）と、
○前記第２脚部において前記回転軸から最も離れた一点である、前記第２脚部（５）における遠位点（Ｐ）と、
の間の最大距離ｄ１２は、少なくとも第１角度位置において、
○前記回転軸と、
○前記第２脚部（５）における前記遠位点（Ｐ）と、
の間の距離ｄ２よりも、少なくとも１０％、少なくとも２５％、少なくとも５０％、少なくとも７５％、少なくとも１００％、１００％より大きい値のように大きい、
方法が提供される。
これの利点は、所与の組の脚部の支持点（脚部の端部など）の間の最大距離をとることを容易にして安定性を向上させることであってもよい。
【００５１】
一の実施の形態においては、前記背もたれは、前記座部から前記第３方向に延びる部分を有し、前述の回動の間に前記第２方向と前記第３方向との間の角度が増大する方法が提供されている。
【００５２】
一の実施の形態においては、
前記方法は、
−前記第１脚部（４）の遠位部分が、前記座部（１）の第１次側で、横臥者の前記関連する支持面と係合する工程と、
−前記第２脚部（５）の遠位部分が、前記座部（１）の第１次側とは反対側である前記座部（１）の第２次側で、前記横臥者の前記関連する支持面と係合する工程と、
を経ながら前記第２脚部が第１角度位置から第２角度位置に移行し、かつ
前記第１角度位置から前記第２角度位置への移行中に、前述の回動中の第１方向と第２方向との間の角度を減少させることにより、
−前記座部（１）および支持面の間の距離が増加し、
−前記第３方向と垂直方向との間の角度を減少させるために、
前記第２脚部（５）を回動させることをさらに備える。
【００５３】
一の実施の形態においては、前記関連する横臥者が、前記第２脚部（５）の前述の回動によって起き上げられ、前記関連する横臥者の臀部が、前記関連する横臥者が前記第２脚部（５）の回動によって起き上げられるまで前記支持面に接触したままであり、関連する横臥者が前記第２脚部（５）の回動により起き上げられる前に、前記関連する横臥者の臀部のいかなる移動も行わないといった形で、前記関連する横臥者の臀部を垂直方向に実質的に移動させない。
【００５４】
一の実施の形態においては、
−前記関連する横臥者の例えば太ももといった脚の下方に前記座部（１）を置いた後に、
−前記背もたれ（２）を前記座部（１）に接続すること、
−前記第２脚部（５）を前記座部（１）に接続すること、
−前記第１脚部（４）を前記座部（１）に接続すること、
のうちの１つまたは複数またはすべてを行う方法が提供される。座部を脚の下方に置いた後に１以上のパーツを座部に接続することの利点は、関連する横臥者を起き上がらせる装置を、その人物の周囲で組み立てることを容易にすること、その結果、臀部が支持面と、例えば途切れなく接触している間、そのような装置を、関連する人物の脚および背中の下方に提供することを容易にすることであってもよい。言い換えると、この方法は、関連する横臥者を起き上がらせる装置を少なくとも部分的に−関連する横臥者の臀部を持ち上げることなく−前述の人物の下方に、関連する横臥者を起き上がらせるための機能的な状態で設けることを可能にしてもよい。
【００５５】
代替の実施の形態においては、１以上のパーツは他のパーツに対して相対移動するように設けられているため、装置は、関連する横臥者の下方に少なくとも部分的に装置を置いた後に再構成することができ、例えば、分離した背もたれ部は、座部近くにある第２脚部の回転軸に平行な軸周りに回動させることができ、これら背もたれ部は、さらに自身の長手方向周りに回動するため、太ももの下方に座部を置いた後に、背もたれ部をその人物の背中の下方に置くことができる。
【００５６】
一の実施の形態においては、前記方法は、前記関連する横臥者を起き上がらせたのち、
−任意で、初期の角度位置となるよう前記第２脚部（５）を回動させること、
をさらに備え、前記方法は、
−前記背もたれ（２）を前記座部（１）から分離すること、
−前記第２脚部（５）を前記座部（１）から分離すること、
−前記第１脚部（４）を前記座部（１）から分離すること、
のうちの一以上またはすべてを、例えば連続して備えるなどといった形で、さらに備える、方法が提供される。座部から、背もたれ、第２脚部、第１脚部のうちの１つ以上を分離することで考えられる利点は、関連する横臥者を起き上がらせた後、装置を移動させる際に、例えば持ち上げたり、扱ったりしなければならない最大重量などといった重さを減らすことを可能にすることであってもよい。第１脚部および／または第２脚部を分離する前に、初期の角度位置となるよう第２脚部（５）を回動させることで考えられる利点は、装置を第１脚部および／または第２脚部に支えられていない状態にすること可能にすることであってもよく、それにより、第１脚部および／または第２脚部を取り外した時に、装置がこの取り外しの前／後にも同じ位置にて支えられることになる。
【００５７】
本発明の第１、第２、および第３の態様それぞれは、他の態様のいずれとも組み合わせることができる。本発明のこれらの、および他の態様は、以下に記載される実施の形態を参照して明らかにされる。
【図面の簡単な説明】
【００５８】
本発明の第１、第２、および第３の態様による装置、使用および方法を、添付の図面に関してより詳細に説明する。図面は、本発明を実施する１つの方法を示しているものであって、添付の請求の範囲内に入る他の考えられる実施の形態を限定するものとして解釈されるべきではない。
【００５９】
【図１】関連する横臥者を起き上がらせる装置１３の斜視図である。
【図２】図１に示す装置の回転軸に沿った点からの側面図である。
【図３】図２と同じ視点から見た、第２構成に移行した装置の別の側面図を示す。
【図４】関連する横臥者１５を起き上がらせる方法を示す。
【図５】関連する横臥者１５を起き上がらせる方法を示す。
【図６】関連する横臥者１５を起き上がらせる方法を示す。
【図７】関連する横臥者１５を起き上がらせる方法を示す。
【図８】関連する横臥者１５を起き上がらせる方法を示す。
【図９】関連する横臥者１５を起き上がらせる方法を示す。
【図１０】関連する横臥者１５を起き上がらせる方法を示す。
【図１１】関連する横臥者１５を起き上がらせる方法を示す。
【図１２】関連する横臥者１５を起き上がらせる方法を示す。
【発明を実施するための形態】
【００６０】
図１は、関連する横臥者を起き上がらせる装置１３の斜視図であって、関連する横臥者は仰向けになっており、この装置は、
−座部１と、
−装置の各側に１本ずつ、合計２本の（第１脚部４に類似した）サブ脚部を有し、
座部１に接続されていて、座部から第１方向に延びる部分を有している、
第１脚部４と、
−座部１に回動可能に連結され、座部から第２方向に延びる部分を有する第２脚部５と、
−座部１に接続され、座部から第３方向に延びる部分を有し、回転軸に平行な方向に、互いに離れた異なる位置で装置に接続された２つの別個の部分８、９を含む背もたれ２と、
を備えており、第２脚部５は、回転軸（回転軸は、点線にて図面に示される）の周りを回動するよう設けられ、装置は、第２脚部５の回転軸周りでの回動によって第１構成から第２構成に移行するよう設けられ、第１方向と第２方向との間の角度は、前述の回動の間に減少し、前記装置は、
−関連する横臥者の臀部が、関連する横臥者が横たわっている支持面と、例えば途切れなく接触している間、関連する横臥者とその人物が横たわっている支持面との間に、少なくとも部分的に第１構成の装置を置いた後に、
−第２脚部５の回動によって装置を第１構成から第２構成に移行させることにより、関連する横臥者を起き上がらせることができるように、構成されている。
【００６１】
図１の装置は、座部が、表面が背もたれ２に対向するトラバースに一体化され、第１脚部、第２脚部、および背もたれそれぞれが、トラバースから離れた方向を向いてトラバースに取り付けられており、トラバースは筐体を有する、トラバース６をさらに備える。駆動ユニットおよび駆動ユニットに動作可能に接続されるエネルギー蓄積ユニットは、第２脚部の回動の動力を供給できるように筐体の中に置かれ、それにより、駆動ユニットを作動させることで関連する横臥者を起き上がらせる。
【００６２】
第１脚部４、第２脚部５、および背もたれ２の全ては、トラバースから可逆的に分離と再接続を行うよう設けられる。これは、太い灰色の矢印で示されており、この矢印は、矢印に隣接する部分がトラバースから分離する（そして逆方向の動きによって再接続される）方向を示す。前述の分離と再接続は、関連する補助者によって工具を使わずに行われてもよい。
【００６３】
図２は、図１に示す装置の回転軸に沿った点からの側面図である。図２は、点Ｐ、距離ｄ１２、ｄ２、ｄ２’、および第１脚部４、第２脚部５、および背もたれ２の第１、第２、第３方向をそれぞれ示す−進路を表す−３つの矢印を示す。方向は、前述のパーツそれぞれの最小慣性モーメントの軸などといった、長手方向軸の方向によって設定される。図面は、第１方向が第２および第３方向の両方の実質的に反対を向いていて、そのため第２および第３方向が実質的に平行であることを示している。
【００６４】
図１から２における装置は、第１構成で示されていて、この装置は、座部１を有するトラバース６を太ももの下方に置いたり、背もたれ２の少なくとも一部分を関連する横臥者の背中の下方に置いたりするなどといった形で、関連する横臥者の下方に少なくとも部分的に置いてもよい。材料の不在部１４は、関連する横臥者の臀部が、材料がないこの箇所に合うよう設けられるため、関連する横臥者の臀部を持ち上げることなく、少なくとも一部がその人の下方で組み立てることができるように、装置１３の少なくとも一部を、地面にいる関連する横臥者の下方に置くことができる。
【００６５】
図３は、図２と同じ視点から見た、第２構成に移行した装置の別の側面図を示す。第２構成の装置は、椅子として構成されているため、関連する横臥者を立位姿勢で座らせることができる。装置は、−カーブした破線の矢印によって示される回動により−第２脚部を第１構成から第２構成に移行させることができる。この図面は、前述の回動中に第１方向と第２方向との間の角度ａ１２が減少し、前述の回動中に第２方向と第３方向との間の角度ａ２３が増加することを示している。
【００６６】
図４から１２は、関連する横臥者１５を起き上がらせる方法を示している。
【００６７】
図４は、例えばパーソナルケアワーカーなどの関連する補助者１６を示しており、この補助者は、本例示では男性であって、以後、「彼」と呼ぶこととする。彼は、関連する横臥者１５のもとに到着する。関連する横臥者１５は、本例示では女性であって、以後「彼女」と呼ばれる。彼は、彼女を起き上がらせるための装置を所持しており、その装置は分解されているため、一度に装置の全重量を運ぶ必要はない。
【００６８】
図５は、太い灰色の矢印で示される摺動運動の最中のトラバース６が、彼女の臀部を持ち上げることなく、彼女の太ももの下方に置かれることを示している。臀部に隣接するトラバースの側面は、座部としても機能する。トラバースは平坦な面を有しており、これによりトラバースを安定して床に置くことができる。トラバースは、取り扱いを容易にするハンドル１７を有しているという特徴もある。ハンドルと反対側のトラバースの側面は、平坦である。
【００６９】
図６は、肘を押すことで彼女の肩が緩やかに回転され、また背もたれ部９が摺動運動で、彼女の背中の、より具体的には肩の下方に緩やかに置かれることが示されている。
【００７０】
図７は、背もたれ部９が、バネピンとの雄−雌結合を通したトラバースを介して座部に接続されることを示している。彼の足が、トラバースの反対側に置かれ、トラバースが所定の位置から動かないようにしている。
【００７１】
図８は、トラバースの側面で、第２脚部のサブ脚部が、ブラケット１８を介して座部に接続されることを示している。クリックロックがあることで、続いて行われる起き上がりの最中にも、サブ脚部が所定の位置から動かないようになっている。
【００７２】
図９は、第１脚部のサブ脚部が、バネピンとの雄−雌結合を通したトラバースを介して座部に接続されていることを示す。
【００７３】
このように、図６から９は、第１脚部、第２脚部、および背もたれの右側のサブパーツを、トラバースを介して座部に接続する様子を示している。これと同様に、この方法はまた、第１脚部、第２脚部、および背もたれの対称な左側のサブパーツを、トラバースを介してシートに接続することを特徴としている。これについては、図示されていない。
【００７４】
図１０は、彼女の臀部が床と接触しながらも、装置が彼女の下方に置かれた状態にある、関連する横臥者を示しており、装置は第１構成であって、彼女を起き上がらせる準備が整った状態である。
【００７５】
図１１は、彼が、遠隔制御装置１９を介してトラバース内の駆動ユニットを作動させながら右手で彼女の首を支え、第２脚部がブラケット１８を介して回動を開始している様を示している。太い矢印で示されるように、第３方向と水平方向との間の角度は、増加している。
【００７６】
図１２は、第２構成の装置を示しており、彼女は起き上げられ、椅子として構成された装置を自分自身で、または彼の助けを借りて出ることができることを示している。
【００７７】
要約すると、座部（１）と、第１脚部（４）と、座部（１）に回動可能に接続されている第２脚部（５）である第２脚部（５）と、背もたれ（２）と、を備えた関連する横臥者を起き上がらせる装置（１３）が提供されるものであって、装置は、第２脚部（５）の回転軸を中心とした回動によって第１構成から第２構成に移行するように設けられ、装置は、関連する横臥者の臀部が、関連する横臥者が横たわっている支持面と接触している間、関連する横臥者と支持面との間に装置を置いた後に、第２の脚部（５）の回動によって装置を第１構成から第２構成に移行させることで関連する横臥者を起き上がらせることができるように構成されている。特定の実施の形態において、装置は、工具なしに、可逆的な組み立てと分解が行われるよう構成されている。
【００７８】
本発明は、特定の実施の形態に関連して説明されたが、提示された実施例に限定されるものと解釈されるべきではない。本発明の範囲は添付の請求項によって定められる。特許請求の範囲において、「備える（ｃｏｍｐｒｉｓｉｎｇ）」または「備える（ｃｏｍｐｒｉｓｅｓ）」という用語は、他の可能な要素またはステップを排除するものではない。特許請求の範囲の文脈において、「備える（ｃｏｍｐｒｉｓｉｎｇ）」または「備える（ｃｏｍｐｒｉｓｅｓ）」という用語は、他の可能な要素またはステップを排除するものではない。また、「ａ」または「ａｎ」などは、複数を排除するものとして解釈されるべきではない。図面に示された要素に関する特許請求の範囲内の参照符号の使用もまた、本発明の範囲を限定するものとして解釈されてはならない。さらに、異なる請求項に記載された個々の特徴は、有利に組み合わせられてもよく、異なる請求項におけるこれらの特徴に言及することは、特徴の組み合わせが可能でなく、有利であることを排除するものではない。
【図１】
0006655092.tif 000002
【図２】
0006655092.tif 000003
【図３】
0006655092.tif 000004
【図４】
0006655092.tif 000005
【図５】
0006655092.tif 000006
【図６】
0006655092.tif 000007
【図７】
0006655092.tif 000008
【図８】
0006655092.tif 000009
【図９】
0006655092.tif 000010
【図１０】
0006655092.tif 000011
【図１１】
0006655092.tif 000012
【図１２】
0006655092.tif 000013